(57)【要約】  Ｆｎｏが明るく、小型で、かつ高性能の製造誤差に強い内視鏡用対物光学系を提供すること。  物体側から順に、負の第１レンズＬ１と、像側に凸面を向けた正の第２メニスカスレンズＬ２と、明るさ絞りＳと、正の第３レンズＬ３と、正の第４レンズＬ４と負の第５レンズＬ５の接合レンズＣＬ１と、を有し、以下の条件式を満たすことを特徴とする。  −０．６≦ｆ１／ｆ４５≦−０．１８      （１−１）  ０．２≦（ｒ３ｆ＋ｒ３ｒ）／（ｒ３ｆ−ｒ３ｒ）≦１      （１−２）  ０．１５≦ｄ３４／ｄ４≦０．７      （１−３）  ここで、  ｆ１は、第１レンズＬ１の焦点距離、  ｆ４５は、第４レンズＬ４と第５レンズＬ５の合成焦点距離、  ｒ３ｆは、第３レンズＬ３の物体側の曲率半径、  ｒ３ｒは、第３レンズＬ３の像側の曲率半径、  ｄ３４は、第３レンズＬ３と第４レンズＬ４の光軸に沿った距離、  ｄ４は、第４レンズＬ４の肉厚、である。
2017217146.tif 000002
【特許請求の範囲】
【請求項１】
物体側から順に、負の第１レンズと、像側に凸面を向けた正の第２メニスカスレンズと、明るさ絞りと、正の第３レンズと、正の第４レンズと負の第５レンズの接合レンズと、を有し、以下の条件式（１−１）、（１−２）、（１−３）を満たすことを特徴とする内視鏡用対物光学系。
−０．６≦ｆ１／ｆ４５≦−０．１８      （１−１）
０．２≦（ｒ３ｆ＋ｒ３ｒ）／（ｒ３ｆ−ｒ３ｒ）≦１      （１−２）
０．１５≦ｄ３４／ｄ４≦０．７      （１−３）
ここで、
ｆ１は、前記第１レンズの焦点距離、
ｆ４５は、前記第４レンズと前記第５レンズの合成焦点距離、
ｒ３ｆは、前記第３レンズの物体側の曲率半径、
ｒ３ｒは、前記第３レンズの像側の曲率半径、
ｄ３４は、前記第３レンズと前記第４レンズの光軸に沿った距離、
ｄ４は、前記第４レンズの肉厚、
である。
【請求項２】
以下の条件式（２）を満たすことを特徴とする請求項１に記載の内視鏡用対物光学系。
０．７≦ｒ４ｒ／ｒ３ｒ≦１．２      （２）
ｒ４ｒは、前記第４レンズの像側の曲率半径、
ｒ３ｒは、前記第３レンズの像側の曲率半径、
である。
【請求項３】
以下の条件式（３）を満たすことを特徴とする請求項１に記載の内視鏡用対物光学系。
−０．５≦ｒ４ｆ／ｒ５ｒ≦−０．０５      （３）
ｒ４ｆは、前記第４レンズの物体側の曲率半径、  
ｒ５ｒは、前記第５レンズの像側の曲率半径、
である。
【請求項４】
以下の条件式（４）を満たすことを特徴とする請求項１に記載の内視鏡用対物光学系。
０≦ｒ４ｆ／ｒ３ｆ≦０．２５      （４）
ｒ３ｆは、前記第３レンズの物体側の曲率半径、
ｆ４ｆは、前記第４レンズの物体側の曲率半径、
である。
【請求項５】
以下の条件式（５）を満たすことを特徴とする請求項１に記載の内視鏡用対物光学系。
０．２４≦Ｉｈ／ｆ３≦０．３５      （５）
Ｉｈは、前記内視鏡用対物光学系の最大像高、
ｆ３は、前記第３レンズの焦点距離、
である。
【請求項６】
前記明るさ絞りの像側は、物体側から順に、前記正の第３レンズと、前記正の第４レンズと前記負の第５レンズの接合レンズと、からなり、以下の条件式（６）を満たすことを特徴とする請求項１に記載の内視鏡用対物光学系。
０．５≦ｄ１ｓ／ｄｓｉ≦０．８      （６）
ｄ１ｓは、前記第１レンズから前記明るさ絞りまでの光軸に沿った距離、
ｄｓｉは、前記明るさ絞りから像面までの光軸に沿った距離、
である。
【請求項７】
以下の条件式（７−１）、（７−２）を満たすことを特徴とする請求項１に記載の内視鏡用対物光学系。
２．３≦ｆ２３／ｆ≦４      （７−１）
−０．４≦ｒ１ｒ／ｒ２ｆ≦−０．１      （７−２）
ｆ２３は、前記第２メニスカスレンズと前記第３レンズの合成焦点距離、
ｆは、前記内視鏡用対物光学系の全系の焦点距離、
ｒ１ｒは、前記第１レンズの像側の曲率半径、
ｒ２ｆは、前記第２メニスカスレンズの物体側の曲率半径、
である。
【請求項８】
以下の条件式（８−１）、（８−２）を満たすことを特徴とする請求項１に記載の内視鏡用対物光学系。
０．３２≦ｆ３／ｆ４５≦１      （８−１）
−１≦ｆ４／ｆ５≦−０．６６      （８−２）
ｆ３は、前記第３レンズの焦点距離、
ｆ４５は、前記第４レンズと前記第５レンズの合成焦点距離、
ｆ４は、前記第４レンズの焦点距離、
ｆ５は、前記第５レンズの焦点距離、
である。
【請求項９】
以下の条件式（９−１）、（９−２）を満たすことを特徴とする請求項１に記載の内視鏡用対物光学系。
−６．５≦ｆ２／ｒ４ｒ≦−３．３      （９−１）
３≦（ｒ２ｆ＋ｒ２ｒ）／（ｒ２ｆ−ｒ２ｒ）≦１０      （９−２）
ｆ２は、前記第２メニスカスレンズの焦点距離、
ｒ４ｒは、前記第４レンズの像側の曲率半径、
ｒ２ｆは、前記第２メニスカスレンズの物体側の曲率半径、
ｒ２ｒは、前記第２メニスカスレンズの像側の曲率半径、
である。
【請求項１０】
前記第３レンズと前記第４レンズの間隔を変えて、組み立て時のピント調整を行うことを特徴とする請求項１に記載の内視鏡用対物光学系。
【発明の詳細な説明】
【技術分野】
【０００１】
本発明は、内視鏡用対物光学系に関するものである。例えば、医療分野や工業分野などで用いられる内視鏡用対物光学系に関する。
【背景技術】
【０００２】
内視鏡は、医療用分野及び工業用分野で広く使用されている装置である。特に、医療用分野においては、体腔内に挿入された内視鏡により得られる画像によって、観察部位の診断や治療に利用されている。【０００３】
内視鏡の光学系としては、適切なＦｎｏとピント位置を設定することにより、近点物体から遠点物体までピントの合った画像を提供している。また、レンズ径や光学全長を小さくしている。これにより、細くて、体腔内への挿入時に被験者が苦しいことが無く、さらに、体内で、小回りの効く内視鏡を構成している。そして、近年では、さらに高画質で小型な内視鏡が求められるようになってきている。【０００４】
小型な内視鏡用対物光学系は、例えば以下の特許文献１から８に提案されている。
【先行技術文献】
【特許文献】
【０００５】
【特許文献１】特許第４９９７３４８号公報
【特許文献２】国際公開第２０１２／００８３１２号
【特許文献３】特開２００９−７５１４１号公報
【特許文献４】特開昭５１−６２０５３号公報
【特許文献５】特許第５９２７３６８号公報
【特許文献６】特開２０１２−２３０４３４号公報
【特許文献７】特開平７−１８１３７７号公報
【特許文献８】特開２０１２−１０３３１９号公報
【発明の概要】
【発明が解決しようとする課題】
【０００６】
一般的に撮像素子の画素数を増やすことで高画質化が可能となる。しかしながら、画素数を増やしたとき、撮像素子の撮像面における像高が大きくなってしまうと、光学系も大きくなる、このため、小型化することが難しくなる。そのため、内視鏡では、撮像素子のサイズを同じ状態にしたまま、画素ピッチを小さくすることで、小型化を保ちつつ高画質化する方法が行われることが多い。【０００７】
ここで、画素ピッチを小さくしたとき、光学系に求められる許容錯乱円の大きさも小さくなる。これにより、高い光学性能を有する光学系が必要となる。許容錯乱円の大きさは、回折の影響を強く受ける。このため、Ｆｎｏが明るい光学系にする必要がある。【０００８】
一般的に、Ｆｎｏが明るくなると、光学系の収差補正が難しくなる。従って、レンズ枚数を増やして光学系を構成することや、光学系の全長を大きくすること等により、光学系が大型化してしまう傾向にある。【０００９】
このように、撮像素子のサイズを同じ状態にしたままで、画素ピッチを小さくすると、単純に小型化と高性能化を達成することができない。さらに、光学系のＦｎｏが明るくなると、製造誤差ばらつきに対して弱くなってしまう。即ち、レンズ部品の曲率半径、肉厚の誤差、光学系組立時の機械枠とレンズとのシフト誤差、チルト誤差等で光学性能が劣化しやすくなる。【００１０】
特に、ピントに関しては、画素ピッチとＦｎｏとでほぼ決まる許容錯乱円の大きさで、許容される誤差が決まってしまう。このため、光学設計による対策が非常に困難であった。具体的には、ピント誤差は３〜５μｍとかなり小さい値であり、光学系組立に使用する接着剤の硬化ずれに対してでさえ、かなり小さい量が求められる。【００１１】
特許文献１に提案されている内視鏡対物レンズユニットは、Ｆｎｏは４程度の比較的明るいものもあるが、例えば、軸上色収差や非点収差は高画素向けには不十分な光学性能であって、高性能を満たすには限界がある。【００１２】
また、特許文献２に提案されている対物光学系は、Ｆｎｏは５．５程度であり、小さい画素ピッチに対応した光学系にはなっていない。【００１３】
また、特許文献３に提案されている撮像レンズは、Ｆｎｏは２程度であり、明るい光学系になっている。しかしながら、Ｆｎｏの明るさ改善のためであり、小さい画素ピッチに対する製造誤差の問題は考慮されていない。また、この撮像レンズは、車載用であり、内視鏡のような小型化は達成されていない。【００１４】
また、特許文献４に提案されている内視鏡対物レンズは、小型で、Ｆｎｏは比較的明るい光学系である。しかしながら、開示されている実施例はファイバ用であり、小さい画素ピッチによる製造誤差の影響は設計では考慮されていない。【００１５】
また、特許文献５に提案されている内視鏡対物光学系は、小さい画素ピッチに対応したＦｎｏの明るい光学系であり、ピントの製造誤差に対する考慮もしている。ただし、片面が平面のフィールドレンズで構成しているため、製造誤差緩和に対する効果にはやや限界がある。【００１６】
また、特許文献６、７、８に提案された光学系は、小型化の点、ピントの誤差感度に関する点が考慮されていない。【００１７】
本発明は、このような問題点に鑑みてなされたものであり、その目的は、Ｆｎｏが明るく、小型で、かつ高性能の製造誤差に強い内視鏡用対物光学系を提供することである。
【課題を解決するための手段】
【００１８】
上述した課題を解決し、目的を達成するために、本発明の少なくとも幾つかの実施形態の対物光学系は、物体側から順に、負の第１レンズと、像側に凸面を向けた正の第２メニスカスレンズと、明るさ絞りと、正の第３レンズと、正の第４レンズと負の第５レンズの接合レンズと、を有し、以下の条件式（１−１）、（１−２）、（１−３）を満たすことを特徴とする。
−０．６≦ｆ１／ｆ４５≦−０．１８      （１−１）
０．２≦（ｒ３ｆ＋ｒ３ｒ）／（ｒ３ｆ−ｒ３ｒ）≦１      （１−２）
０．１５≦ｄ３４／ｄ４≦０．７      （１−３）
ここで、
ｆ１は、第１レンズの焦点距離、
ｆ４５は、第４レンズと第５レンズの合成焦点距離
ｒ３ｆは、第３レンズの物体側の曲率半径、
ｒ３ｒは、第３レンズの像側の曲率半径、
ｄ３４は、第３レンズと第４レンズの光軸に沿った距離、
ｄ４は、第４レンズの肉厚、
である。
【発明の効果】
【００１９】
本発明は、Ｆｎｏが明るく、小型で、かつ高性能の製造誤差に強い内視鏡用対物光学系を提供することができるという効果を奏する。
【図面の簡単な説明】
【００２０】
【図１】本発明の一実施形態に係る内視鏡用対物光学系のレンズ断面構成を示す図である。
【図２】（ａ）は、本発明の実施例１に係る内視鏡用対物光学系のレンズ断面構成を示す図である。（ｂ）、（ｃ）、（ｄ）、（ｅ）は、それぞれ実施例１の球面収差（ＳＡ)、非点収差（ＡＳ）、歪曲収差（ＤＴ）及び倍率色収差（ＣＣ)を示す収差図である。
【図３】（ａ）は、本発明の実施例２に係る内視鏡用対物光学系のレンズ断面構成を示す図である。（ｂ）、（ｃ）、（ｄ）、（ｅ）は、それぞれ実施例２の球面収差（ＳＡ)、非点収差（ＡＳ）、歪曲収差（ＤＴ）及び倍率色収差（ＣＣ)を示す収差図である。
【図４】（ａ）は、本発明の実施例３に係る内視鏡用対物光学系のレンズ断面構成を示す図である。（ｂ）、（ｃ）、（ｄ）、（ｅ）は、それぞれ実施例３の球面収差（ＳＡ)、非点収差（ＡＳ）、歪曲収差（ＤＴ）及び倍率色収差（ＣＣ)を示す収差図である。
【００２１】
以下に、実施形態に係る内視鏡用対物光学系を図面に基づいて詳細に説明する。なお、この実施形態により、この発明が限定されるものではない。【００２２】
図１は、実施形態に係る内視鏡用対物光学系のレンズ断面構成を示す図である。【００２３】
本実施形態に係る内視鏡用対物光学系は、物体側から順に、負の第１レンズＬ１と、像側に凸面を向けた正の第２メニスカスレンズＬ２と、赤外吸収フィルタＦ１と、明るさ絞りＳと、正の第３レンズＬ３と、正の第４レンズＬ４と負の第５レンズＬ５の接合レンズＣＬ１と、を有し、以下の条件式（１−１）、（１−２）、（１−３）を満たすことを特徴とする。
−０．６≦ｆ１／ｆ４５≦−０．１８      （１−１）
０．２≦（ｒ３ｆ＋ｒ３ｒ）／（ｒ３ｆ−ｒ３ｒ）≦１      （１−２）
０．１５≦ｄ３４／ｄ４≦０．７      （１−３）
ここで、
ｆ１は、第１レンズＬ１の焦点距離、
ｆ４５は、第４レンズＬ４と第５レンズＬ５の合成焦点距離、
ｒ３ｆは、第３レンズＬ３の物体側の曲率半径、
ｒ３ｒは、第３レンズＬ３の像側の曲率半径、
ｄ３４は、第３レンズＬ３と第４レンズＬ４の光軸ＡＸに沿った距離、
ｄ４は、第４レンズＬ４の肉厚、
である。【００２４】
以下、本実施形態において、このような構成をとった理由と作用を説明する。内視鏡は、一般的に広範囲の領域を観察する必要があり、かつレンズ前玉径を小さくしなければならない。このため、本実施形態では、レトロフォーカス構成を採用している。【００２５】
そこで、最も物体側に、負の第１レンズＬ１を配置して、レトロフォーカス構成に必要な負の屈折力を確保する。そして、第１レンズＬ１の像側に、負屈折力の第１レンズＬ１で発生する収差を補正するように、像側に凸面を向けた正の第２メニスカスレンズＬ２を配置している。【００２６】
さらに、正の第２メニスカスレンズＬ２の像側に、物体側から順に、明るさ絞りＳと、主に結像に寄与する正屈折力を有する両凸形状の正の第３レンズＬ３と、周辺の光線高が高くなる位置に両凸形状の正の第４レンズＬ４と負の第５レンズが接合された接合レンズＣＬ１を配置して色収差を補正している。接合レンズＣＬ１は、正の第３レンズＬ３と共に結像に寄与するように全体として正の屈折力で構成している。【００２７】
また、高画素化に伴い画素ピッチが小さくなると許容錯乱円も小さくなる。これにより、高い精度、特にピントの位置精度が求められる。そこで、本実施形態は、像面に近い第４レンズＬ４と第５レンズＬ５の接合レンズＣＬ１の正の屈折力を比較的大きくする。この結果、撮像素子と一緒に移動したときに光学縦倍率が小さくなるようにして、ピントの誤差感度が低減できる構成としている。【００２８】
このとき、第１レンズＬ１は、レトロフォーカスタイプを構成しつつ全長を短縮化するために、比較的大きい負屈折力が必要となる。そのため、ピント誤差感度を考慮しつつ、そこで発生する収差を第４レンズＬ４と第５レンズＬ５で補正する必要がある。そのため、以下の条件式を満たすことが望ましい。【００２９】
−０．６≦ｆ１／ｆ４５≦−０．１８      （１−１）
ここで、
ｆ１は、第１レンズＬ１の焦点距離、
ｆ４５は、第４レンズＬ４と第５レンズＬ５の合成焦点距離、
である。【００３０】
条件式（１−１）は、ｆ１とｆ４５の適切な比に関する。条件式（１−１）の上限値を上回ると、第１レンズＬ１の収差発生量が大きくなり、コマ収差が悪化するか、ピントの誤差感度が強くなってしまう。【００３１】
条件式（１−１）の下限値を下回ると、光学系の全長が大きくなってしまうか、第４レンズＬ４と第５レンズＬ５の収差発生量が大きくなり、非点収差、コマ収差、倍率色収差が悪化してしまう。【００３２】
また、このとき、第４レンズＬ４の正屈折力を大きくするので、同じく結像に関わる正の屈折力を持つ第３レンズＬ３の収差発生量をコントロールしておく必要がある。そのため、第３レンズＬ３は以下の条件式（１−２）を満たすことが望ましい。【００３３】
０．２≦（ｒ３ｆ＋ｒ３ｒ）／（ｒ３ｆ−ｒ３ｒ）≦１      （１−２）
ここで、
ｒ３ｆは、第３レンズＬ３の物体側の曲率半径、
ｒ３ｒは、第３レンズＬ３の像側の曲率半径、
である。【００３４】
条件式（１−２）は、（ｒ３ｆ＋ｒ３ｒ）と（ｒ３ｆ−ｒ３ｒ）の適切な比に関する。条件式（１−２）の上限値を上回ると、第３レンズＬ３がメニスカス形状になってしまう。この結果、第４レンズＬ４で発生する収差を抑えにくくなって、球面収差、コマ収差が悪化してしまう。【００３５】
条件式（１−２）の下限値を下回ると、主点が物体側に移動して全長が大きくなってしまうか、第３レンズＬ３での球面収差量が大きくなってしまい性能が劣化してしまう。【００３６】
また、このとき、第４レンズＬ４の正の屈折力が大きくなるため、第４レンズＬ４と第５レンズＬ５の接合レンズの製造誤差、特に、シフトやチルトなどのレンズ偏心による性能劣化が大きくなる。そのため、撮像素子に対する入射角がテレセントリックに近くなるように緩くなる、即ち撮像素子の撮像面に略垂直に入射するようにして構成することが、性能劣化が少なくなり望ましい。そのため、第４レンズＬ４に関して明るさ絞りＳからの距離をなるべく離すように以下の条件式（１−３）を満たすことが望ましい。【００３７】
０．１５≦ｄ３４／ｄ４≦０．７      （１−３）
ここで、
ｄ３４は、第３レンズＬ３と第４レンズＬ４の光軸ＡＸに沿った距離、
ｄ４は、第４レンズＬ４の肉厚、
である。【００３８】
条件式（１−３）は、ｄ３４／ｄ４の適切な比に関する。条件式（１−３）の上限値を上回ると、光学系の全長が大きくなるか、第４レンズＬ４の光線高が大きくなってレンズ径が大きくなってしまう。【００３９】
条件式（１−３）の下限値を下回ると、第４レンズＬ４と明るさ絞りＳとの距離が小さくなりすぎて、入射角がきつくなり、即ちレンズ面への入射角が大きくなる。このため、第４レンズＬ４の製造誤差に対して性能が劣化しやすくなる。【００４０】
なお、条件式（１−１）に代えて、以下の条件式（１−１）’を満たすことが望ましい。
−０．５≦ｆ１／ｆ４５≦−０．２２      （１−１）’
さらに、条件式（１−１）に代えて、以下の条件式（１−１）”を満たすことが望ましい。
−０．４≦ｆ１／ｆ４５≦−０．２４      （１−１）”【００４１】
なお、条件式（１−２）に代えて、以下の条件式（１−２）’を満たすことが望ましい。
０．４≦（ｒ３ｆ＋ｒ３ｒ）／（ｒ３ｆ−ｒ３ｒ）≦１      （１−２）’
さらに、条件式（１−２）に代えて、以下の条件式（１−２）”を満たすことが望ましい。
０．６≦（ｒ３ｆ＋ｒ３ｒ）／（ｒ３ｆ−ｒ３ｒ）≦１      （１−２）”【００４２】
なお、条件式（１−３）に代えて、以下の条件式（１−３）’を満たすことが望ましい。
０．１８≦ｄ３４／ｄ４≦０．６      （１−３）’
さらに、条件式（１−３）に代えて、以下の条件式（１−３）”を満たすことが望ましい。
０．２≦ｄ３４／ｄ４≦０．５      （１−３）”【００４３】
また、全体の正の屈折力を保ちつつ、第３レンズＬ３と第４レンズＬ４のバランスを変えると収差が崩れやすくなってしまう。そのため、それぞれの曲率半径を適切に設定するのが好ましい。【００４４】
すなわち、本実施形態の好ましい態様によれば、第３レンズＬ３の像側の曲率半径と第４レンズＬ４の像側の曲率半径は、以下の条件式（２）を満たすことが望ましい。【００４５】
０．７≦ｒ４ｒ／ｒ３ｒ≦１．２      （２）
ここで、
ｒ４ｒは、第４レンズＬ４の像側の曲率半径、
ｒ３ｒは、第３レンズＬ３の像側の曲率半径、
である。【００４６】
条件式（２）は、ｒ４ｒとｒ３ｒの適切な比に関する。条件式（２）の上限値を上回ると、第３レンズＬ３の像側の曲率半径が大きくなって全長が大きくなるか、第４レンズＬ４の像側の曲率半径が小さくなってコマ収差、倍率色収差が補正過剰になってしまう。【００４７】
条件式（２）の下限値を下回ると、第３レンズＬ３の像側の曲率半径が小さくなって球面収差が悪化するか、第４レンズＬ４の像側の曲率半径が大きくなって、コマ収差、倍率色収差が補正不足になってしまう。【００４８】
なお、条件式（２）に代えて、以下の条件式（２）’を満たすことが望ましい。
０．７３≦ｒ４ｒ／ｒ３ｒ≦１．１      （２）’
さらに、条件式（２）に代えて、以下の条件式（２）”を満たすことが望ましい。
０．７５≦ｒ４ｒ／ｒ３ｒ≦１      （２）”【００４９】
また、接合レンズＣＬ１の第４レンズＬ４と第５レンズＬ５は、比較的大きい正屈折力を保持しつつ、第１レンズＬ１で発生する画面周辺の収差も抑えなければならない。【００５０】
そのため、本実施形態の好ましい態様によれば、第４レンズＬ４の物体側曲率半径と第５レンズＬ５の像側の曲率半径は以下の条件式（３）を満たすことが望ましい。【００５１】
−０．５≦ｒ４ｆ／ｒ５ｒ≦−０．０５      （３）
ｒ４ｆは、第４レンズＬ４の物体側の曲率半径、  
ｒ５ｒは、第５レンズＬ５の像側の曲率半径、
である。【００５２】
条件式（３）は、ｒ４ｆとｒ５ｒの適切な比に関する。条件式（３）の上限値を上回ると、第４レンズＬ４の物体側の曲率半径が小さくなりすぎて球面収差、コマ収差が悪化してしまうか、第５レンズＬ５の像側の曲率半径が大きくなりすぎてコマ収差、非点収差が補正不足になってしまう。【００５３】
条件式（３）の下限値を下回ると、第４レンズＬ４の物体側の曲率半径が大きくなりすぎて屈折力が保てなくなって全長が大きくなってしまう。または、第５レンズＬ５の像側の曲率半径が小さくなりすぎてコマ収差、非点収差が補正過剰になってしまう。または、接合面の曲率半径が小さくなってレンズの加工が困難になってしまう。【００５４】
なお、条件式（３）に代えて、以下の条件式（３）’を満たすことが望ましい。
−０．４５≦ｒ４ｆ／ｒ５ｒ≦−０．１      （３）’
さらに、条件式（３）に代えて、以下の条件式（３）を満たすことが望ましい。
−０.４≦ｒ４ｆ／ｒ５ｒ≦−０．１５      （３）”【００５５】
また、レトロフォーカスタイプを採用すると光学系の全長が大きくなってしまう傾向がある。このため、正屈折力の第３レンズＬ３と第４レンズＬ４の構成が重要になる。【００５６】
そのため、本実施形態の好ましい態様によれば、第３レンズＬ３の物体側曲率半径と第４レンズＬ４の物体側曲率半径は、以下の条件式（４）を満たすことが望ましい。【００５７】
０≦ｒ４ｆ／ｒ３ｆ≦０．２５      （４）
ｒ３ｆは、第３レンズＬ３の物体側の曲率半径、
ｆ４ｆは、第４レンズＬ４の物体側の曲率半径、
である。【００５８】
条件式（４）は、ｒ４ｆとｒ３ｆの適切な比に関する。条件式（４）の条件式の上限値を上回ると、第３レンズＬ３の物体側の曲率半径が小さくなりすぎて主点が物体側に移動して全長が大きくなってしまうか、または第４レンズＬ４の物体側の曲率半径が大きくなりすぎて非点収差、コマ収差の補正が不足してしまう。【００５９】
条件式（４）の下限値を下回ると、第３レンズＬ３の物体側が凹面になり結果的に像側の曲率半径が小さくなって球面収差、コマ収差が悪化してしまうか、または第４レンズＬ４の物体側が凹面になり結果的に像側の曲率半径が小さくなり、軸上、倍率色収差が悪化してしまったり、正の屈折力が小さくなって光学系の全長が大きくなってしまう。【００６０】
なお、条件式（４）に代えて、以下の条件式（４）’を満たすことが望ましい。
０≦ｒ４ｆ／ｒ３ｆ≦０．２３      （４）’【００６１】
また、第４レンズＬ４と第５レンズＬ５によるピント誤差感度の緩和効果と小型化を満たすには、第３レンズＬ３の正の屈折力を適切に設定する必要がある。【００６２】
そのため、本実施形態の好ましい態様によれば、以下の条件式（５）を満たすことが望ましい。【００６３】
０．２４≦Ｉｈ／ｆ３≦０．３５      （５）
Ｉｈは、内視鏡用対物光学系の最大像高、
ｆ３は、第３レンズＬ３の焦点距離、
である。【００６４】
条件式（５）は、Ｉｈとｆ３の適切な比に関する。条件式（５）の上限値を上回ると、第３レンズＬ３の屈折力が大きくなりすぎて、第４レンズＬ４と第５レンズＬ５のピント誤差感度の緩和効果が弱まってしまうか、または第３レンズＬ３での球面収差、コマ収差の発生が多くなって性能が悪化してしまう。【００６５】
条件式（５）の下限値を下回ると、第３レンズＬ３の屈折力が小さくなりすぎて、第４レンズＬ４と第５レンズＬ５でのコマ収差、非点収差の発生が多くなって性能が悪化してしまう。【００６６】
なお、条件式（５）に代えて、以下の条件式（５）’を満たすことが望ましい。
０．２５≦Ｉｈ／ｆ３≦０．３２      （５）’【００６７】
また、明るさ絞りＳの像側を、物体側から順に、正の第３レンズＬ３と、正の第４レンズＬ４と負の第５レンズＬ５の接合レンズＣＬ１と、のみで構成した場合、明るさ絞りＳの位置を適切に設定しないと、小型化とピント誤差感度を同時に満たせなくなる。そのため、以下の条件式（６）を満たすことが望ましい。【００６８】
このため、本実施形態の好ましい態様によれば、明るさ絞りＳの像側は、物体側から順に、正の第３レンズＬ３と、正の第４レンズＬ４と負の第５レンズＬ５の接合レンズＣＬ１と、からなり、以下の条件式（６）を満たすことが望ましい。
０．５≦ｄ１ｓ／ｄｓｉ≦０．８      （６）
ｄ１ｓは、第１レンズＬ１から明るさ絞りＳまでの光軸ＡＸに沿った距離、
ｄｓｉは、明るさ絞りＳから像面までの光軸ＡＸに沿った距離、
である。【００６９】
条件式（６）は、ｄ１ｓとｄｓｉの適切な比に関する。条件式（６）の上限値を上回ると、第１レンズＬ１の外径が大きくなって小型化を満たせなくなったり、または撮像素子への入射角がきつくなり、第４レンズＬ４と第５レンズＬ５の光軸ＡＸに対するシフト、チルトのレンズ偏心時の性能劣化が大きくなってしまう。【００７０】
条件式（６）の下限値を下回ると、光学系の全長が大きくなったり、第１レンズＬ１の屈折力が大きくなりすぎて収差発生量が多くなり性能が劣化してしまう。【００７１】
なお、条件式（６）に代えて、以下の条件式（６）’を満たすことが望ましい。
０．５５≦ｄ１ｓ／ｄｓｉ≦０．７      （６）’【００７２】
また、第１レンズＬ１で発生する大きな収差を、第２メニスカスレンズＬ２、第３レンズＬ３で良好に補正する必要がある。【００７３】
そのため、本実施形態の好ましい態様によれば、以下の条件式（７−１）、（７−２）を同時に満たすことが望ましい。【００７４】
２．３≦ｆ２３／ｆ≦４      （７−１）
−０．４≦ｒ１ｒ／ｒ２ｆ≦−０．１      （７−２）
ｆ２３は、第２メニスカスレンズＬ２と第３レンズＬ３の合成焦点距離、
ｆは、内視鏡用対物光学系の全系の焦点距離、
ｒ１ｒは、第１レンズＬ１の像側の曲率半径、
ｒ２ｆは、第２メニスカスレンズＬ２の物体側の曲率半径、
である。【００７５】
条件式（７−１）は、ｆ２３とｆの適切な比に関する。条件式（７−２）は、ｒ１ｒとｒ２ｆの適切な比に関する。【００７６】
条件式（７−１）の上限値を上回ると、第２メニスカスレンズＬ２、第３レンズＬ３の正の屈折力が小さくなりすぎて、第１レンズＬ１で発生するコマ収差、非点収差を補正できなくなってしまう。【００７７】
条件式（７−１）の下限値を下回ると、第２メニスカスレンズＬ２、第３レンズＬ３の正の屈折力が大きくなりすぎて、球面収差が悪化してしまう。【００７８】
条件式（７−２）の上限値を上回ると、第１レンズＬ１の曲率半径が小さくなりすぎるか、または第２メニスカスレンズＬ２の曲率半径が大きくなりすぎて、コマ収差、非点収差が悪化してしまう。【００７９】
条件式（７−２）の下限値を下回ると、第１レンズＬ１の曲率半径が大きくなりすぎて全長が大きくなってしまうか、または第２メニスカスレンズＬ２の曲率半径が小さくなりすぎて、コマ収差が補正過剰になったり、レンズの加工性が悪くなってしまう。【００８０】
なお、条件式（７−１）に代えて、以下の条件式（７−１）’を満たすことが望ましい。
２．５≦ｆ２３／ｆ≦３．５      （７−１）’
なお、条件式（７−２）に代えて、以下の条件式（７−２）’を満たすことが望ましい。
−０．３５≦ｒ１ｒ／ｒ２ｆ≦−０．１２      （７−２）’【００８１】
また、ピント誤差感度、画面周辺の収差、全長を良好に満たすためには、明るさ絞りＳから像側に配置するレンズの屈折力のバランスを取る必要がある。【００８２】
そのため、本実施形態の好ましい態様によれば、以下の条件式（８−１）、（８−２）を満たすことが望ましい。【００８３】
０．３２≦ｆ３／ｆ４５≦１      （８−１）
−１≦ｆ４／ｆ５≦−０．６６      （８−２）
ｆ３は、第３レンズＬ３の焦点距離、
ｆ４５は、第４レンズＬ４と第５レンズＬ５の合成焦点距離、
ｆ４は、第４レンズＬ４の焦点距離、
ｆ５は、第５レンズＬ５の焦点距離、
である。【００８４】
条件式（８−１）は、ｆ３とｆ４５の適切な比に関する。条件式（８−２）は、ｆ４とｆ５の適切な比に関する。【００８５】
条件式（８−１）の上限値を上回ると、第３レンズＬ３の屈折力が小さくなりすぎて、光学系の全長が大きくなったり、球面収差が補正不足になってしまうか、または第４レンズＬ４と第５レンズＬ５の屈折力が大きくなりすぎて、レンズ偏心による性能劣化が発生してしまう。【００８６】
条件式（８−１）の下限値を下回ると、第３レンズＬ３の屈折力が大きくなりすぎて、球面収差、コマ収差が悪化してしまうか、または第４レンズＬ４と第５レンズＬ５の屈折力が小さくなりすぎて、ピント感度緩和の効果が薄れてしまう。【００８７】
条件式（８−２）の上限値を上回ると、第４レンズＬ４の屈折力が大きくなりすぎてコマ収差、非点収差が悪化してしまうか、または第５レンズＬ５の屈折力が小さくなりすぎて、倍率色収差が補正不足になってしまう。【００８８】
条件式（８−２）の下限値を下回ると、第４レンズＬ４の屈折力が小さくなりすぎてピント感度緩和の効果が薄れてしまうか、または第５レンズＬ５の屈折力が大きくなりすぎて倍率色収差が補正過剰になったり、コマ収差が悪化してしまう。【００８９】
なお、条件式（８−１）に代えて、以下の条件式（８−１）’を満たすことが望ましい。
０．４≦ｆ３／ｆ４５≦０．９      （８−１）’
なお、条件式（８−２）に代えて、以下の条件式（８−２）’を満たすことが望ましい。
−０．９≦ｆ４／ｆ５≦−０．７      （８−２）【００９０】
また、画面周辺の収差を良好に補正するには、明るさ絞りＳを挟んだレンズのバランスを取る必要がある。【００９１】
そのため、本実施形態の好ましい態様によれば、以下の条件式（９−１）、（９−２）を満たすことが望ましい。【００９２】
−６．５≦ｆ２／ｒ４ｒ≦−３．３      （９−１）
３≦（ｒ２ｆ＋ｒ２ｒ）／（ｒ２ｆ−ｒ２ｒ）≦１０      （９−２）
ｆ２は、第２メニスカスレンズＬ２の焦点距離、
ｒ４ｒは、第４レンズＬ４の像側の曲率半径、
ｒ２ｆは、第２メニスカスレンズＬ２の物体側の曲率半径、
ｒ２ｒは、第２メニスカスレンズＬ２の像側の曲率半径、
である。【００９３】
条件式（９−１）は、ｆ２とｒ４ｒの適切な比に関する。条件式（９−２）は、（ｒ２ｆ＋ｒ２ｒ）と（ｒ２ｆ−ｒ２ｒ）の適切な比に関する。【００９４】
条件式（９−１）の条件式の上限値を上回ると、第２メニスカスレンズＬ２の屈折力が大きくなりすぎて、コマ収差、非点収差が悪化してしまうか、第４レンズＬ４の曲率半径が大きくなりすぎて、コマ収差、非点収差のバランスが取れず悪化してしまう。【００９５】
条件式（９−１）の下限値を下回ると、第２メニスカスレンズＬ２の屈折力が小さくなりすぎて、コマ収差、非点収差のバランスが取れず悪化してしまうか、または第４レンズＬ４の曲率半径が小さくなりすぎて、球面収差、コマ収差が悪化してしまう。【００９６】
条件式（９−２）の上限値を上回ると、第２メニスカスレンズＬ２の曲率半径が小さくなりすぎて、球面収差、コマ収差が補正過剰になってしまう。【００９７】
条件式（９−２）の下限値を下回ると、第２メニスカスレンズＬ２の曲率半径が大きくなりすぎて、球面収差、コマ収差が補正不足になってしまう。【００９８】
また、本実施形態の好ましい態様によれば、第３レンズＬ３と第４レンズＬ４の間隔を変えて、組み立て時のピント調整を行うことが望ましい。【００９９】
内視鏡の組み立て時には各レンズのニュートン誤差、肉厚誤差等によりピント位置が設計からずれてしまう。そのためピント調整を行って位置決めを行う。このピント調整は第３レンズＬ３と第４レンズＬ４との間で行うのが好ましい。これにより、調整の移動量に対してピントの変化量が減るので、組み立て時に調整がしやすくなったり、接着剤の硬化ずれによる性能劣化量を小さくすることができる。また、第４レンズＬ４と第５レンズＬ５を光軸ＡＸと垂直方向に移動することで、画角の左右差や画面周辺のピント位置のずれ、非対称な非点収差を補正しても良い。【０１００】
また、レンズ構成を、物体側から順に、負の第１レンズＬ１、像側に凸面を向けた正の第２メニスカスレンズＬ２、明るさ絞りＳ、正の第３レンズＬ３、正の第４レンズＬ４と負の第５レンズＬ５の接合レンズＣＬ１の５枚で構成すれば、全長短縮やレンズコストを低減させることが可能となる。【０１０１】
また、第１レンズＬ１については、以下に述べる構成にすることが好ましい。内視鏡では観察中に汚れや血液などが付着したとき、内視鏡先端に設けられたノズルから射出する水によって洗浄を行う。その際、レンズ面が凸形状の場合、汚れが落ちにくくなったり、凹面の場合、水が溜まったりしてしまう。また、特に、凸形状の場合、衝撃による傷や割れが発生しやすくなる。よって、第１レンズＬ１の形状は、物体側に平面を向けた平凹形状であるのが好ましい。【０１０２】
以下、各実施例について説明する。【０１０３】
（実施例１）
実施例１に係る内視鏡用対物光学系について説明する。図２（ａ）は、本実施例に係る内視鏡用対物光学系のレンズ断面構成を示す図である。【０１０４】
本実施例は、物体側から順に、物体側に平面を向けた平凹の負の第１レンズＬ１と、像側に凸面を向けた正の第２メニスカスレンズＬ２と、赤外吸収フィルタＦ１と、明るさ絞りＳと、物体側に平面を向けた平凸の正の第３レンズＬ３と、両凸の正の第４レンズＬ４と、像側に凸面を向けた負の第５メニスカスレンズＬ５と、カバーガラスＣＧ１と、ＣＣＤカバーガラスＣＧ２と、から構成される。Ｉは像面である。【０１０５】
また、赤外吸収フィルタＦ１の物体側に、ＹＡＧレーザーカットのコーティング、像側にＬＤレーザーカットのコーティングを施している。【０１０６】
ここで、正の第４レンズＬ４と負の第５メニスカスレンズＬ５は接合されている。カバーガラスＣＧ１とＣＣＤカバーガラスＣＧ２は接合されている。Ｆ２は接合層である。【０１０７】
図２（ｂ）、（ｃ）、（ｄ）、（ｅ）は、それぞれ実施例１の球面収差（ＳＡ)、非点収差（ＡＳ）、歪曲収差（ＤＴ）及び倍率色収差（ＣＣ)を示す収差図である。【０１０８】
（実施例２）
実施例２に係る内視鏡用対物光学系について説明する。図３（ａ）は、本実施例に係る内視鏡用対物光学系のレンズ断面構成を示す図である。【０１０９】
本実施例は、物体側から順に、物体側に平面を向けた平凹の負の第１レンズＬ１と、像側に凸面を向けた正の第２メニスカスレンズＬ２と、赤外吸収フィルタＦ１と、明るさ絞りＳと、両凸の正の第３レンズＬ３と、両凸の正の第４レンズＬ４と、像側に凸面を向けた負の第５メニスカスレンズＬ５と、カバーガラスＣＧ１と、ＣＣＤカバーガラスＣＧ２と、から構成される。Ｉは像面である。【０１１０】
また、赤外吸収フィルタＦ１の物体側に、ＹＡＧレーザーカットのコーティング、像側にＬＤレーザーカットのコーティングを施している。【０１１１】
ここで、正の第４レンズＬ４と負の第５メニスカスレンズＬ５は接合されている。カバーガラスＣＧ１とＣＣＤカバーガラスＣＧ２は接合されている。Ｆ２は接合層である。【０１１２】
図３（ｂ）、（ｃ）、（ｄ）、（ｅ）は、それぞれ実施例２の球面収差（ＳＡ)、非点収差（ＡＳ）、歪曲収差（ＤＴ）及び倍率色収差（ＣＣ)を示す収差図である。
（実施例３）
実施例３に係る内視鏡用対物光学系について説明する。図４（ａ）は、本実施例に係る内視鏡用対物光学系のレンズ断面構成を示す図である。【０１１３】
本実施例は、物体側から順に、物体側に平面を向けた平凹の負の第１レンズＬ１と、像側に凸面を向けた正の第２メニスカスレンズＬ２と、赤外吸収フィルタＦ１と、明るさ絞りＳと、両凸の正の第３レンズＬ３と、両凸の正の第４レンズＬ４と、像側に凸面を向けた負の第５メニスカスレンズＬ５と、カバーガラスＣＧ１と、ＣＣＤカバーガラスＣＧ２と、から構成される。Ｉは像面である。【０１１４】
また、赤外吸収フィルタＦ１の物体側に、ＹＡＧレーザーカットのコーティング、像側にＬＤレーザーカットのコーティングを施している。【０１１５】
ここで、正の第４レンズＬ４と負の第５メニスカスレンズＬ５は接合されている。カバーガラスＣＧ１とＣＣＤカバーガラスＣＧ２は接合されている。Ｆ２は接合層である。【０１１６】
図４（ｂ）、（ｃ）、（ｄ）、（ｅ）は、それぞれ実施例３の球面収差（ＳＡ)、非点収差（ＡＳ）、歪曲収差（ＤＴ）及び倍率色収差（ＣＣ)を示す収差図である。【０１１７】
以下に、上記各実施例の数値データを示す。記号は、ｒは各レンズ面の曲率半径、ｄは各レンズ面間の間隔、ｎｅは各レンズのｅ線の屈折率、νｄは各レンズのアッベ数、ＦｎｏはＦナンバー、絞りは明るさ絞りである。
【０１１８】
数値実施例１
単位    ｍｍ
面データ
面番号     r           d          ne        νd
1        ∞         0.2115    1.88815     40.76
2       0.6603      0.4242
3      -3.0889      0.4871    1.97189     17.47
4      -1.9529      0.3281
5        ∞         0.4230    1.49557     75.00
6        ∞         0.0000
7（絞り）∞         0.1872
8        ∞         0.6251    1.69979     55.53
9      -1.1895      0.2131
10       1.4519      0.8357    1.65425     58.55
11      -1.0589      0.3277    1.97189     17.47
12      -4.3264      0.1405
13        ∞         0.4759    1.51825     64.14
14        ∞         0.0100    1.51500     64.00
15        ∞         0.3700    1.50700     63.26
16        ∞         0.0000
撮像面     ∞  
Fno      2.95
半画角  66.2°
像高     0.475ｍｍ【０１１９】
数値実施例２
単位  ｍｍ
面データ
面番号     r          d           ne        νd
1        ∞        0.2094     1.88815     40.76
2       0.6637     0.4128
3      -4.2118     0.4806     1.97189     17.47
4      -2.5093     0.4327
5        ∞        0.4188     1.49557     75.00
6        ∞        0.0000
7(絞り)  ∞        0.1421
8       6.0661     0.6083     1.69979     55.53
9      -1.2925     0.2488
10       1.3596     0.8311     1.65425     58.55
11      -1.0170     0.3243     1.97189     17.47
12      -7.1147     0.0792
13        ∞        0.4711     1.51825     64.14
14        ∞        0.0100     1.51500     64.00
15        ∞        0.3700     1.50700     63.26
16        ∞        0.0000  
撮像面     ∞      
Fno      3.03
半画角  65.9°
像高     0.47ｍｍ【０１２０】
数値実施例３
単位  ｍｍ
面データ
面番号     r          d           ne        νd
1        ∞        0.2123     1.88815     40.76
2       0.6781     0.4428
3      -2.5569     0.4268     1.97189     17.47
4      -1.8848     0.3455
5        ∞        0.4245     1.49557     75.00
6        ∞        0.0000
7(絞り)  ∞        0.1601
8       6.8568     0.7548     1.69979     55.53
9      -1.2464     0.2227
10       1.5085     0.8224     1.65425     58.55
11      -1.0645     0.3251     1.97189     17.47
12      -5.2432     0.0933
13        ∞        0.4776     1.51825     64.14
14        ∞        0.0100     1.51500     64.00
15        ∞        0.3700     1.50700     63.26
16        ∞        0.0000
撮像面     ∞      
Fno      2.96
半画角  66.5°
像高     0.477ｍｍ【０１２１】
以下に各実施例の条件式対応値を示す。
条件式
(1-1)  f1/f45 
(1-2)  (r3f+r3r)/(r3f-r3r)
(1-3)  d34/d4
(2)    r4r/r3r
(3)    r4f/r5r
(4)    r4f/r3f
(5)    Ih/f3
(6)    d1s/dsi
(7-1)  f23/f
(7-2)  r1r/r2f
(8-1)  f3/f45
(8-2)  f4/f5
(9-1)  f2/r4r
(9-2)  (r2f+r2r)/(r2f-r2r)
条件式   実施例１   実施例２   実施例３
(1-1)     -0.29      -0.26      -0.26
(1-2)      1.00       0.65       0.69
(1-3)      0.25       0.30       0.27
(2)        0.89       0.79       0.85
(3)       -0.34      -0.19      -0.29
(4)        0.00       0.22       0.22
(5)        0.28       0.30       0.30
(6)        0.59       0.63       0.57
(7-1)      2.84       2.79       2.72
(7-2)     -0.21      -0.16      -0.27
(8-1)      0.65       0.54       0.53
(8-2)     -0.71      -0.82      -0.76
(9-1)     -4.26      -5.51      -5.28
(9-2)      4.44       3.95       6.61【０１２２】
なお、上述の内視鏡用対物光学系は、複数の構成を同時に満足してもよい。このようにすることが、良好な内視鏡用対物光学系を得る上で好ましい。また、好ましい構成の組み合わせは任意である。また、各条件式について、より限定した条件式の数値範囲の上限値あるいは下限値のみを限定しても構わない。【０１２３】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【産業上の利用可能性】
【０１２４】
以上のように、本発明は、Ｆｎｏが明るく、小型で、かつ高性能の製造誤差に強い内視鏡用対物光学系に有用である。
【符号の説明】
【０１２５】
Ｌ１〜Ｌ５  レンズ
Ｓ  明るさ絞り
Ｆ１  赤外吸収フィルタ
Ｆ２  接合層
ＣＧ１、ＣＧ２  カバーガラス
ＡＸ  光軸
Ｉ    像面
ＣＬ１  接合レンズ
【図１】
2017217146.tif 000003
【図２】
2017217146.tif 000004
【図３】
2017217146.tif 000005
【図４】
2017217146.tif 000006
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
物体側から順に、負の第１レンズと、像側に凸面を向けた正の第２メニスカスレンズと、明るさ絞りと、正の第３レンズと、正の第４レンズと負の第５レンズの接合レンズと、からなり、以下の条件式（１−１）、（１−２）、（１−３）を満たすことを特徴とする内視鏡用対物光学系。
−０．６≦ｆ１／ｆ４５≦−０．１８      （１−１）
０．２≦（ｒ３ｆ＋ｒ３ｒ）／（ｒ３ｆ−ｒ３ｒ）≦１      （１−２）
０．１５≦ｄ３４／ｄ４≦０．７      （１−３）
ここで、
ｆ１は、前記第１レンズの焦点距離、
ｆ４５は、前記第４レンズと前記第５レンズの合成焦点距離、
ｒ３ｆは、前記第３レンズの物体側の曲率半径、
ｒ３ｒは、前記第３レンズの像側の曲率半径、
ｄ３４は、前記第３レンズと前記第４レンズの光軸に沿った距離、
ｄ４は、前記第４レンズの肉厚、
である。
【請求項２】
以下の条件式（２）を満たすことを特徴とする請求項１に記載の内視鏡用対物光学系。
０．７≦ｒ４ｒ／ｒ３ｒ≦１．２      （２）
ｒ４ｒは、前記第４レンズの像側の曲率半径、
ｒ３ｒは、前記第３レンズの像側の曲率半径、
である。
【請求項３】
以下の条件式（３）を満たすことを特徴とする請求項１に記載の内視鏡用対物光学系。
−０．５≦ｒ４ｆ／ｒ５ｒ≦−０．０５      （３）
ｒ４ｆは、前記第４レンズの物体側の曲率半径、  
ｒ５ｒは、前記第５レンズの像側の曲率半径、
である。
【請求項４】
以下の条件式（４）を満たすことを特徴とする請求項１に記載の内視鏡用対物光学系。
０≦ｒ４ｆ／ｒ３ｆ≦０．２５      （４）
ｒ３ｆは、前記第３レンズの物体側の曲率半径、
ｆ４ｆは、前記第４レンズの物体側の曲率半径、
である。
【請求項５】
以下の条件式（５）を満たすことを特徴とする請求項１に記載の内視鏡用対物光学系。
０．２４≦Ｉｈ／ｆ３≦０．３５      （５）
Ｉｈは、前記内視鏡用対物光学系の最大像高、
ｆ３は、前記第３レンズの焦点距離、
である。
【請求項６】
前記明るさ絞りの像側は、物体側から順に、前記正の第３レンズと、前記正の第４レンズと前記負の第５レンズの接合レンズと、からなり、以下の条件式（６）を満たすことを特徴とする請求項１に記載の内視鏡用対物光学系。
０．５≦ｄ１ｓ／ｄｓｉ≦０．８      （６）
ｄ１ｓは、前記第１レンズから前記明るさ絞りまでの光軸に沿った距離、
ｄｓｉは、前記明るさ絞りから像面までの光軸に沿った距離、
である。
【請求項７】
以下の条件式（７−１）、（７−２）を満たすことを特徴とする請求項１に記載の内視鏡用対物光学系。
２．３≦ｆ２３／ｆ≦４      （７−１）
−０．４≦ｒ１ｒ／ｒ２ｆ≦−０．１      （７−２）
ｆ２３は、前記第２メニスカスレンズと前記第３レンズの合成焦点距離、
ｆは、前記内視鏡用対物光学系の全系の焦点距離、
ｒ１ｒは、前記第１レンズの像側の曲率半径、
ｒ２ｆは、前記第２メニスカスレンズの物体側の曲率半径、
である。
【請求項８】
以下の条件式（８−１）、（８−２）を満たすことを特徴とする請求項１に記載の内視鏡用対物光学系。
０．３２≦ｆ３／ｆ４５≦１      （８−１）
−１≦ｆ４／ｆ５≦−０．６６      （８−２）
ｆ３は、前記第３レンズの焦点距離、
ｆ４５は、前記第４レンズと前記第５レンズの合成焦点距離、
ｆ４は、前記第４レンズの焦点距離、
ｆ５は、前記第５レンズの焦点距離、
である。
【請求項９】
以下の条件式（９−１）、（９−２）を満たすことを特徴とする請求項１に記載の内視鏡用対物光学系。
−６．５≦ｆ２／ｒ４ｒ≦−３．３      （９−１）
３≦（ｒ２ｆ＋ｒ２ｒ）／（ｒ２ｆ−ｒ２ｒ）≦１０      （９−２）
ｆ２は、前記第２メニスカスレンズの焦点距離、
ｒ４ｒは、前記第４レンズの像側の曲率半径、
ｒ２ｆは、前記第２メニスカスレンズの物体側の曲率半径、
ｒ２ｒは、前記第２メニスカスレンズの像側の曲率半径、
である。
【請求項１０】
前記第３レンズと前記第４レンズの間隔を変えて、組み立て時のピント調整を行うことを特徴とする請求項１に記載の内視鏡用対物光学系。
【手続補正２】
【補正対象書類名】明細書
【補正対象項目名】００１８
【補正方法】変更
【補正の内容】
【００１８】
上述した課題を解決し、目的を達成するために、本発明の少なくとも幾つかの実施形態の対物光学系は、物体側から順に、負の第１レンズと、像側に凸面を向けた正の第２メニスカスレンズと、明るさ絞りと、正の第３レンズと、正の第４レンズと負の第５レンズの接合レンズと、からなり、以下の条件式（１−１）、（１−２）、（１−３）を満たすことを特徴とする。
−０．６≦ｆ１／ｆ４５≦−０．１８      （１−１）
０．２≦（ｒ３ｆ＋ｒ３ｒ）／（ｒ３ｆ−ｒ３ｒ）≦１      （１−２）
０．１５≦ｄ３４／ｄ４≦０．７      （１−３）
ここで、
ｆ１は、前記第１レンズの焦点距離、
ｆ４５は、前記第４レンズと前記第５レンズの合成焦点距離、
ｒ３ｆは、前記第３レンズの物体側の曲率半径、
ｒ３ｒは、前記第３レンズの像側の曲率半径、
ｄ３４は、前記第３レンズと前記第４レンズの光軸に沿った距離、
ｄ４は、前記第４レンズの肉厚、
である。
【国際調査報告】
2017217146.tif 000007
2017217146.tif 000008
2017217146.tif 000009
2017217146.tif 000010